(57)【要約】【課題】  該予作動式流水検知装置の弁体は常態時には少し開かれた状態にあり、二次側に接続された配管内には消火水が充填されている予作動式流水検知装置において、常態時の弁体の開放量を調整可能な予作動式流水検知装置を簡易な構造で安価に提供する【解決手段】  常態時弁体の開放量を調整可能な弁体微開手段として、弁体４に固定された弁棒１４に設置されたストッパー２１を設けた。あるいは弁体底面を支持する支持部材としてロッド１６が設置されている。【選択図】    図１
2007244735.tif 000002
【特許請求の範囲】
【請求項１】
予作動式スプリンクラー設備に設置される予作動式流水検知装置であり、該予作動式流水検知装置の弁体は常態時には少し開かれた状態にあり二次側に接続された配管内には消火水が充填されている予作動式流水検知装置において、常態時弁体の開放量を調整可能な弁体微開手段が設置されていることを特徴とする予作動式流水検知装置。
【請求項２】
前記予作動式流水検知装置において、弁体微開手段は、弁体に固定された弁棒に設置されたストッパーであることを特徴とする請求項１記載の予作動式流水検知装置。
【請求項３】
前記予作動式流水検知装置において、弁体微開手段とは、弁体底面を支持する支持部材が設置されていることを特徴とする請求項１記載の予作動式流水検知装置。
【請求項４】
前記予作動式流水検知装置において、弁体が全開状態のときに信号を出力する弁開信号発生手段が設けられていることを特徴とする請求項１記載の予作動式流水検知装置。
【発明の詳細な説明】
【技術分野】
【０００１】
本発明は、予作動式スプリンクラー設備に設置される予作動式流水検知装置に関するものである。
【背景技術】
【０００２】
予作動スプリンクラー設備は、室内に設置された火災感知器とスプリンクラーヘッドが火災によって両方作動した場合にスプリンクラーヘッドから消火水を散布するものである。
【０００３】
予作動スプリンクラー設備に用いられる予作動式流水検知装置は、水源からスプリンクラーヘッドまで接続されている配管の途中に設けられ、予作動式流水検知装置の一次側は水源と接続しており、二次側はスプリンクラーヘッドに接続されている。
【０００４】
予作動式流水検知装置の二次側に接続された配管、いわゆる二次側配管に空気や不燃ガス等の気体を充填したものを乾式予作動スプリンクラー設備といい、消火水が充填されたものを湿式予作動スプリンクラー設備という。
【０００５】
乾式、湿式いずれの場合も予作動式流水検知装置内部の弁体は平時において閉鎖状態にある。火災時に火災感知器が作動すると前記弁体は開放され、水源からスプリンクラーヘッドまでの水路が開放される。乾式の場合は二次側配管に消火水が流入する。
【０００６】
火災の熱によってスプリンクラーヘッドが作動すると二次側配管内の水がスプリンクラーヘッドより放出される。続いてポンプが起動し、水源の消火水を汲み上げスプリンクラーヘッドに供給して連続的に消火水の散布を行い火災を鎮圧・消火する。
【０００７】
火災時以外にスプリンクラーヘッドが作動した場合には、予作動式流水検知装置の弁体は閉止したままなので、二次側配管内の気体または消火水が流出するだけであり、湿式の場合においても水漏れによる被害をある程度まで抑えることができる。
【０００８】
近年においては、設備構成が簡単で火災時に即座に消火水が放出される湿式予作動スプリンクラー設備が注目されている。大多数の湿式予作動スプリンクラー設備は、予作動式流水検知装置の二次側配管内の圧力を監視してスプリンクラーヘッドの作動を検知しており、二次側配管内の圧力が次第に自然降下してきた場合、圧力を補充する手段が必要となる。
【０００９】
二次側配管内に圧力を補充する簡単な手段の一つとして、弁体を少しだけ開放して一次側から二次側に少量の水を通水可能にしたスプリンクラー消火設備がある（例えば、特許文献１参照）。
【００１０】
【特許文献１】特許  第３０９４２９１号公報
【発明の開示】
【発明が解決しようとする課題】
【００１１】
上記のスプリンクラー消火設備には、弁体を少し開いた状態とする場合の構造や、少し開いた状態時の所定流量を調整するための手段が示されていない。そこで本発明では、常態時の弁体の開放量を調整可能な予作動式流水検知装置を簡易な構造で安価に提供することを目的としている。
【課題を解決するための手段】
【００１２】
上記の目的を達成するために、請求項１記載の発明は、予作動式スプリンクラー設備に設置される予作動式流水検知装置であり、該予作動式流水検知装置の弁体は常態時には少し開かれた状態にあり二次側に接続された配管内には消火水が充填されている予作動式流水検知装置において、常態時弁体の開放量を調整可能な弁体微開手段が設置されている予作動式流水検知装置である。
【００１３】
請求項２記載の発明は、前記予作動式流水検知装置において、弁体微開手段は、弁体に固定された弁棒に設置されたストッパーである請求項１記載の予作動式流水検知装置である。
【００１４】
請求項３記載の発明は、前記予作動式流水検知装置において、弁体微開手段とは、弁体底面を支持する支持部材が設置されている請求項１記載の予作動式流水検知装置である。
【００１５】
請求項４記載の発明は、前記予作動式流水検知装置において、弁体が全開状態のときに信号を出力する弁開信号発生手段が設けられている請求項１記載の予作動式流水検知装置である。
【発明の効果】
【００１６】
請求項１記載の発明によれば、常態時の弁体の開放量を調整可能な弁体微開手段が設置されていることで、弁体の開度、つまり二次側への通水量を任意に設定することが可能となる。さらに、弁体は弁座に着座せず一次側と二次側の水密性は要求されない構造なので、弁体と弁座のシール手段を設ける必要が無く、またシール面における面粗さや耐腐食性も要求されず、製造上のメリットを有する。
【００１７】
請求項２記載の発明では、弁体微開手段として弁体に固定された弁棒にストッパーを設け、ストッパーの位置を調整することで弁体の開度を調整することができる。
【００１８】
請求項３記載の発明では、弁体微開手段として、弁体底面を支持する支持部材を設置し該支持部材の位置を調整することにより弁体の開度が調節可能となる。
【００１９】
請求項４記載の発明では、上記予作動式流水検知装置において、弁体の開放状態を検知可能な弁開信号発生手段を設けて弁体が開放していることを検知できるようにした。
【実施例１】
【００２０】
以下、この発明の実施例１を図１から図３を参照して説明する。図１は本発明の予作動式流水検知装置の断面図、図２は本発明の予作動式流水検知装置が設置された予作動式スプリンクラー設備の系統図、図３は図１の弁体開放状態である。
【００２１】
図１に示す予作動式流水検知装置は、弁箱１の内部を一次側Ｉと二次側ＩＩに分ける隔壁２が設置されており、該隔壁２には一次側Ｉと二次側ＩＩを連通する連通開口部３が穿設されている。
【００２２】
弁体４は有底円筒形状をしており、一次側Ｉ室内に設置され、底面が連通開口部３の軸上に位置するように配置される。弁体４の側面には外部に貼り出したフランジ５が形成されており、該フランジ５の側面は、弁箱１の内壁に設けられた円筒６の内側に沿って摺動可能となっている。
【００２３】
連通開口部３の軸上には、前述のように弁体４が設置され、さらに軸の延長上にコイルバネ７、蓋８が設置される。蓋８と弁体４との間には制御室９が形成され、該制御室９には配管１０、１１が接続されている。一次室Ｉと接続された配管１０上にはオリフィス１２が設置されており、制御室９への水の流入量を制限している。配管１１上には常時閉止状態の電動弁１３が設置されている。電動弁１３が開放されると、制御室９内の水は排出される。
【００２４】
弁体４の軸には弁棒１４が設けられており、弁体４の移動と共に弁棒１４も移動する。弁棒１４の先端は蓋８の外部に突出しており、蓋８の外部に設けたリミットスイッチ１５によって弁棒１４の移動を検知可能である。
【００２５】
弁体４が設置された一次側Ｉとは逆の二次側ＩＩには、連通開口部３の軸上にロッド１６が設けられ、ロッド１６の一端は弁体４の底面が接触して係止されている。中間部分には牡ネジ１７が螺刻されており、牡ネジ１７はブッシュ１８の牝ネジ１９と螺合され、ロッド１６はブッシュ１８を貫通した状態で他端が弁箱１の外部に突出している。
【００２６】
ロッド１６は牡ネジ１７によって弁体４の底面と接触する先端位置を調整可能であり、これによって弁体４の開度を調整して二次側ＩＩへの流入量を任意に設定することが可能となる。
【００２７】
二次側ＩＩには、二次側ＩＩの圧力が所定値以下となった場合に信号を出力する圧力スイッチ２０が設けられている。
【００２８】
上記構造の予作動式流水検知装置ＰＶは、図２に示すように一次側が送水ポンプＰと水源Ｗに接続され、二次側に接続された配管にはスプリンクラーヘッドＨが複数設置されている。スプリンクラーヘッドＨの近傍には火災感知器Ｓが設置されており、予作動式流水検知装置ＰＶの電動弁１３とは電気的に接続された状態にある。
【００２９】
上記実施例１の予作動式流水検知装置が設置された予作動式スプリンクラー設備の作動について説明する。
【００３０】
火災が発生すると、火災感知器Ｓが火災信号を制御盤Ｃに送信し、該火災信号を受信した制御盤Ｃは電動弁１３を開く。すると制御室９内の消火水が配管１１から流出し、制御室９内が減圧して二次側ＩＩの圧力が制御室９の圧力を上まわり、弁体４が制御室９側へ移動して連通開口部３が通水可能な状態となる（図３参照）。また、リミットスイッチ１５からは弁開放信号が制御盤Ｃに出力される。
【００３１】
続いて火災の熱によりスプリンクラーヘッドＨが作動すると、スプリンクラーヘッドＨから二次側ＩＩに接続された配管内の消火水が室内に散布されるとともに、一次側Ｉに接続された配管内の水も二次側に送られ、一次側Ｉも減圧してくる。
【００３２】
一次側Ｉに接続された配管上には、圧力タンクが設けられており該圧力タンクＴには圧力スイッチＰＳが設置されており、圧力スイッチＰＳは圧力タンクＴ内の圧力が所定値以下になるとポンプ運転信号をポンプ制御盤ＰＣへ出力して送水ポンプＰを起動させ、水源Ｗから送水が開始されスプリンクラーヘッドＨに連続的に消火水を供給し消火を行う。
【００３３】
ところで、火災感知器Ｓが作動したにもかかわらず、スプリンクラーヘッドＨが作動しなかった場合には、リミットスイッチ１５から弁開放信号が制御盤Ｃに出力されているので、該制御盤Ｃの信号によって復旧を促し、手動操作により電動弁１３を閉じる。電動弁１３を閉止すると制御室９内に一次側Ｉの消火水が充填されて弁体４が閉止することで予作動式流水検知装置が警戒状態に復旧する。
【００３４】
一方、スプリンクラーヘッドＨが火災感知器Ｓよりも先に作動した場合について説明する。二次側ＩＩに接続された配管上のスプリンクラーヘッドＨが作動した場合には、配管内の圧力が急激に下がるので僅かに開いた弁体４の隙間から二次側ＩＩへの消火水の供給が間に合わず、二次側ＩＩの圧力が一次側Ｉの圧力より低くなる。
【００３５】
一次側Ｉと連通している制御室９の圧力は二次側ＩＩの圧力より高くなり、弁体４の底面がロッド１６の端に接触して係止された状態が維持される。これにより弁体４は開かず二次側ＩＩへの消火水の供給は制限されるのでスプリンクラーヘッドＨが誤作動した際には所定流量以下の消火水が放出されるだけで水損被害を低減することができる。
【００３６】
この後に、火災感知器Ｓが作動して火災信号が制御盤Ｃに出力されると、前述の電動弁１３が開いて制御室９内の圧力が減少する。制御室９の減圧により弁体４が制御室９側に移動して連通開口部３か通水可能な状態となり、一次側Ｉの減圧によって送水ポンプＰが起動してスプリンクラーヘッドＨに消火水を供給し消火を行うことが可能になる。
【実施例２】
【００３７】
次に実施例２について図４を参照して説明する。図４は、実施例２の予作動式流水検知装置の断面図である。
【００３８】
実施例２における実施例１との違いは、弁棒にストッパーを設けて弁体を係止させたことである。尚、実施例１と構造が同じ箇所については同符号を付して詳細な説明は省略する。
【００３９】
図４に示す予作動式流水検知装置の内部には、実施例１と同様に弁体４が設けられており、該弁体４と固定された弁棒１４の外部に突出した部分に鍔状のストッパー２１が形成されている。ストッパー２１は蓋８の外面に係止されることで、弁体４が僅かな開度で開いた状態となり、所定の流量以下で一次側Ｉから二次側ＩＩへの通水を許容する構造となっている。
【００４０】
実施例２の作動においては、実施例１と同様であるので説明は省略する。
【図面の簡単な説明】
【００４１】
【図１】実施例１の予作動式流水検知装置の断面図
【図２】予作動式流水検知装置が設置された予作動式スプリンクラー設備の系統図
【図３】図１の弁体開放状態
【図４】実施例２の流水検知装置の断面図
【符号の説明】
【００４２】
１  弁箱    
３  連通開口部    
４  弁体    
８  蓋    
９  制御室    
１０、１１  配管    
１３  電動弁    
１４  弁棒    
１５  リミットスイッチ    
１６  ロッド    
２０  圧力スイッチ    
２１  ストッパー  
【図１】
2007244735.tif 000003
【図２】
2007244735.tif 000004
【図３】
2007244735.tif 000005
【図４】
2007244735.tif 000006